(57)【特許請求の範囲】
【請求項１】
ユーザによる指示に応じて、メモリに保存されている複数の画像から、第１の画像を選択する第１の選択手段と；
ユーザによる指示に応じて、メモリに保存されている複数の画像から、第２の画像を選択する第２の選択手段と；
印刷装置に、上記第１の選択手段により選択された第１の画像に対応する参照画像と、上記第２の選択手段により選択された第２の画像に対応する合成用印刷画像と、複数の画像における上記第１の画像を示す情報とを同一ページ内に含み、さらに当該同一ページ内に上記参照画像が印刷される第１の領域と、当該第１の領域と同じサイズであるユーザが画像を付加するための第２の領域とを有し、当該第２の領域に当該合成用印刷画像を含むシートを印刷させる印刷制御手段と；
上記印刷制御手段により印刷されたシートを読取装置が読み取って得られた画像を取得する取得手段と；
上記取得手段により取得された画像に含まれる上記情報に基づきメモリから読み出した上記第１の画像と、上記取得手段により取得された画像のうちの上記シートの上記第２の領域に含まれる、上記合成用印刷画像とユーザにより上記シートの上記領域に付加された画像とを抽出した第３の画像とを同一ページ内で上記第１の領域と上記第２の領域とが重なるように合成する合成手段と；
を有することを特徴とする画像処理装置。
【請求項２】
請求項１において、
上記取得手段により取得された画像から上記第３の画像を抽出する抽出手段を有し、上記印刷制御手段は、上記第２の領域を示すシートを印刷させることを特徴とする画像処理装置。
【請求項３】
請求項１または請求項２において、
上記第２の選択手段は、メモリに保存されている複数のフォントまたはイラストから選択することを特徴とする画像処理装置。
【請求項４】
請求項３において、
上記フォントは、文字の書体、スタイル、サイズ、色、文字飾りの少なくとも１つであることを特徴とする画像処理装置。
【請求項５】
請求項３または請求項４において、
外部のメモリを接続することが可能な接続部を有し、上記第１の選択手段は、上記接続部に接続された外部のメモリに保存されている複数の画像から第１の画像を選択することを特徴とする画像処理装置。
【請求項６】
請求項１乃至５のいずれか１項において、
画像を合成する処理を行うためのメモリと；
上記メモリの容量に応じて、上記第１の画像と上記第２の画像との合成が可能か否かを判別する判別手段と；
を有し、上記印刷制御手段は、上記判別手段により上記第１の画像と上記第２の画像との合成が可能でないと判別された場合に、上記第２の画像に対応する合成用印刷画像をシートに印刷させ、上記判別手段により上記第１の画像と上記第２の画像との合成が可能であると判別された場合に、上記第２の画像に対応する合成用印刷画像をシートに印刷させないことを特徴とする画像処理装置。
【請求項７】
ユーザによる指示に応じて、メモリに保存されている複数の画像から、第１の画像を選択する第１の選択工程と；
ユーザによる指示に応じて、メモリに保存されている複数の画像から、第２の画像を選択する第２の選択工程と；
印刷装置に、上記第１の選択工程において選択された第１の画像に対応する参照画像と上記第２の選択工程において選択された第２の画像に対応する合成用印刷画像と、複数の画像における上記第１の画像を示す情報とを同一ページ内に含み、さらに当該同一ページ内に上記参照画像が印刷される第１の領域と、当該第１の領域と同じサイズであるユーザが画像を付加するための第２の領域とを有し、当該第２の領域に当該合成用印刷画像を含むシートを印刷させる印刷制御工程と；
上記印刷制御工程において印刷されたシートを読取装置が読み取って得られた画像を取得する取得工程と；
上記取得工程において取得された画像に含まれる上記情報に基づきメモリから読み出した上記第１の画像と、上記取得工程において取得された画像のうちの上記シートの上記第２の領域に含まれる、上記合成用印刷画像とユーザにより上記シートの上記領域に付加された画像とを抽出した第３の画像とを同一ページ内で上記第１の領域と上記第２の領域とが重なるように合成する合成工程と；
を有することを特徴とする画像処理方法。
【請求項８】
請求項７に記載の画像処理方法をコンピュータに実行させるためのプログラム。
【発明の詳細な説明】
【技術分野】
【０００１】
本発明は、画像処理装置、画像処理方法およびプログラムに関する。
【背景技術】
【０００２】
近年、印刷装置としては、印刷するだけではなく、読取機能やメモリカード挿入口等、複合的な機能をもつ装置が増えている。その中で、メモリカード内の写真画像と、読取部で読み込んだデータとを合成して印刷する方法が知られている（たとえば、特許文献１参照）。
【０００３】
この方法は、画像処理装置に、メモリカードの画像と読取部が読み取ったデータとを合成する合成機能を持たせ、合成結果を印字する方法である。この際、読取部が読み取るデータを書くためのシートを、上記画像処理装置で印刷する。シートには、合成する内容を手で書く手書き領域を設け、ユーザは、上記手書き領域に、合成したい内容を書式し、これを読み取り、合成する。
【０００４】
また、合成する際に、写真画像データと手書き画像だけでなく、フレームや決まり文句等の定形文等であって写真画像に重ねるデータ等も合成している。
【特許文献１】特開平０５−１２２４９６号公報
【発明の開示】
【発明が解決しようとする課題】
【０００５】
しかし、上記従来例において、写真画像データ、ユーザが手書きしたデータ、フレーム等、合成するデータが多くなると、複数の内容のデータについて、複数回、合成する必要があるので、合成を行うに必要なリソース負荷が大きいという問題があり、また、処理時間が長いという問題がある。
【０００６】
また、上記従来例においては、実際に合成を行う際に、合成する内容とユーザが記述したい内容とが、合成後にどのように配置されるかがわからないという問題がある。
【０００７】
本発明は、写真画像データ、ユーザが書いたデータ、フレーム等を合成するデータが多くても、合成を行うに必要なリソース負荷が大きくはならず、また、処理時間が長くならない画像処理装置、画像処理方法およびプログラムを提供することを目的とするものである。
【課題を解決するための手段】
【０００８】
本発明の画像処理装置は、ユーザによる指示に応じて、メモリに保存されている複数の画像から、第１の画像を選択する第１の選択手段と、ユーザによる指示に応じて、メモリに保存されている複数の画像から、第２の画像を選択する第２の選択手段と、印刷装置に、上記第１の選択手段により選択された第１の画像に対応する参照画像と、上記第２の選択手段により選択された第２の画像に対応する合成用印刷画像と、複数の画像における上記第１の画像を示す情報とを同一ページ内に含み、さらに当該同一ページ内に上記参照画像が印刷される第１の領域と、当該第１の領域と同じサイズであるユーザが画像を付加するための第２の領域とを有し、当該第２の領域に当該合成用印刷画像を含むシートを印刷させる印刷制御手段と、上記印刷制御手段により印刷されたシートを読取装置が読み取って得られた画像を取得する取得手段と、上記取得手段により取得された画像に含まれる上記情報に基づきメモリから読み出した上記第１の画像と、上記取得手段により取得された画像のうちの上記シートの上記第２の領域に含まれる、上記合成用印刷画像とユーザにより上記シートの上記領域に付加された画像とを抽出した第３の画像とを同一ページ内で上記第１の領域と上記第２の領域とが重なるように合成する合成手段とを有することを特徴とする。
【発明の効果】
【０００９】
本発明によれば、写真画像データ、ユーザが書いたデータ、フレーム等を合成するデータが多くても、合成を行うに必要なリソース負荷が大きくはならず、また、処理時間が長くならないという効果を奏する。
【発明を実施するための最良の形態】
【００１０】
発明を実施するための最良の形態は、次の実施例である。
【実施例１】
【００１１】
図１は、本発明の実施例１である画像処理装置１００の概略構成を示すブロック図である。
【００１２】
画像処理装置１００は、ＣＰＵ１０１と、ＲＯＭ１０２と、ＲＡＭ１０３と、画像メモリ１０４と、データ変換部１０５と、読取制御部１０６と、読取部１０７と、操作表示部１０８と、通信制御部１０９と、解像度変換処理部１１０と、符号復号化処理部１１１と、記録制御部１１２と、記録部１１３と、給紙部１１４と、ＵＳＢファンクション制御部１１５と、データ蓄積部１１６と、ＵＳＢホスト制御部１１７と、ＣＰＵバス１２１とを有する。また、画像処理装置１００は、メモリカードＭＣと、デジタルカメラＤＣとに接続される。
【００１３】
ＣＰＵ１０１は、システム制御部であり、画像処理装置１００の全体を制御する。
【００１４】
ＲＯＭ１０２は、ＣＰＵ１０１が実行する制御プログラムや組み込みオペレーティングシステム（ＯＳ）プログラム等を格納する。実施例１では、ＲＯＭ１０２に格納されている各制御プログラムは、ＲＯＭ１０２に格納されている組み込みＯＳの管理下で、スケジューリングやタスクスイッチ等のソフトウエア制御を実行する。
【００１５】
ＲＡＭ１０３は、ＳＲＡＭ（ｓｔａｔｉｃ  ＲＡＭ）等で構成され、プログラム制御変数等を格納し、また、オペレータが登録した設定値や画像処理装置１００の管理データ等を格納し、各種ワーク用バッファ領域が設けられている。
【００１６】
画像メモリ１０４は、ＤＲＡＭ（ｄｙｎａｍｉｃ  ＲＡＭ）等で構成され、画像データを蓄積する。
【００１７】
データ変換部１０５は、ページ記述言語（ＰＤＬ）等の解析や、キャラクタデータのＣＧ（ｃｏｍｐｕｔｅｒ  ｇｒａｐｈｉｃｓ）展開等、画像データの変換を行う。
【００１８】
読取制御部１０６は、読取部１０７が、ＣＩＳイメージセンサ（密着型イメージセンサ）によって原稿を光学的に読み取り、電気的な画像データに変換した画像信号を、図示しない画像処理制御部を介して、２値化処理や中間調処理等の各種画像処理を施し、高精細な画像データを出力する。なお、実施例１では、読取制御部１０６は、原稿を搬送しながら読み取りを行うシート読取制御方式と、原稿台にある原稿をスキャンするブック読取制御方式の両制御方式に対応している。
【００１９】
操作表示部１０８は、数値入力キー、文字入力キー、ワンタッチ電話番号キー、モード設定キー、決定キー、取り消しキー等を備え、ユーザが画像送信相手先データの決定や登録値の設定データや省エネモードの設定の登録動作を行うための操作部と、各種キー、ＬＥＤ（発光ダイオード）とＬＣＤ（液晶ディスプレイ）等によって構成され、オペレータによる各種入力操作や、画像処理装置１００の動作状況、ステータス状況の表示等を行う表示部である。
【００２０】
通信制御部１０９は、ＭＯＤＥＭ（変復調装置）や、ＮＣＵ（網制御装置）等によって構成されている。実施例１では、通信制御部１０９は、アナログの通信回線（ＰＳＴＮ）１３１に接続され、Ｔ３０プロトコルでの通信制御、通信回線に対する発呼と着呼等の回線制御を行っている。
【００２１】
解像度変換処理部１１０は、画像データのミリ−インチ解像度変換等の解像度変換制御を行う。なお、解像度変換部１１０において、画像データの拡大縮小処理も可能である。
【００２２】
符号復号化処理部１１１は、画像処理装置１００で扱う画像データ（ＭＨ、ＭＲ、ＭＭＲ、ＪＢＩＧ、ＪＰＥＧ等）を符号復号化処理や、拡大縮小処理を行う。
【００２３】
記録制御部１１２は、印刷される画像データに対し、図示しない画像処理制御部を介して、スムージング処理や記録濃度補正処理、色補正等の各種画像処理を施し、高精細な画像データに変換し、記録部１１３に出力する。また、記録部１１３を制御することによって、記録部１１３の状態情報を定期的に取得する役割も果たす。
【００２４】
記録部１１３は、レーザビームプリンタやインクジェットプリンタ等によって構成されている印刷装置であり、カラー画像データ、またはモノクロ画像データを、印刷部材に印刷する。
【００２５】
給紙部１１４は、印刷のための用紙を保持することができる部位である。記録制御部１１２からの制御で、給紙部１１４から給紙を行う。特に、給紙部１１４は、複数種類の用紙を１つの装置に保持するために、複数の給紙部１１４を用意することができる。そして、記録制御部１１２によって、どの給紙部から給紙を行うかの制御を行うことができる。
【００２６】
ＵＳＢファンクション制御部１１５は、ＵＳＢインタフェースの通信制御を行うものであり、ＵＳＢ通信規格に従って、プロトコル制御を行い、ＣＰＵ１０１が実行するＵＳＢ制御タスクからのデータを、パケットに変換し、外部の情報処理端末に、ＵＳＢパケット送信し、逆に、外部の情報処理端末からのＵＳＢパケットを、データに変換してＣＰＵ１０１に送信する。
【００２７】
データ蓄積部１１６は、データを蓄積するための部位である。画像メモリ１０４でのＤＲＡＭでは、データバックアップ用の領域を用意していないので、実施例１では、データ蓄積部としてデータ保存領域を用意している。画像メモリ１０４と共有する場合もある。データ蓄積部１１６に、データをバックアップする。実施例１では、ＤＲＡＭを用いているが、ハードディスクや揮発性メモリ等を使用するようにしてもよい。
【００２８】
ＵＳＢホスト制御部１１７は、ＵＳＢ通信規格で定められているプロトコルで通信するための制御部である。ＵＳＢ通信規格は、双方向のデータ通信を高速に行うことができる規格であり、１台のホスト（マスター）に対し、複数のハブまたはファンクション（スレーブ）を接続することができる。
【００２９】
メモリカードＭＣは、データ記憶媒体であり、画像処理装置１００に接続することができる。実施例１では、メモリカードＭＣとＵＳＢホスト制御部１１７との間が、インタフェースで接続されているが、この限りではない。画像データやその他の電子データは、ＵＳＢホスト制御部１１７を介して、メモリカードＭＣ内のデータにアクセスすることができる。
【００３０】
実施例１においては、記録機能のＵＳＢ通信は、１対１の接続形態を用いる。
【００３１】
上記構成要素１０１〜１０６、１０８〜１１７は、ＣＰＵ１０１が管理するＣＰＵバス１２１を介して、相互に接続されている。
【００３２】
図２は、画像処理装置１００の操作表示部１０８の具体例を示すブロック図である。
【００３３】
操作表示部１０８は、ＬＣＤ２０１と、電源キー２０２と、コピーモードキー２０３と、フィルムモードキー２０４と、スキャンモードキー２０５と、フォトモードキー２０６と、メニューキー２０７と、プリントシートキー２０８と、スキャンシートキー２０９と、マイナスキー２１０と、プラスキー２１１と、セットキー２１２と、スライドショーキー２１３と、用紙設定キー２１４と、フィーダセレクトキー２１５と、ＳＴＯＰキー２１６と、モノクロスタートキー２１７と、カラースタートキー２１８とを有する。
【００３４】
ＬＣＤディスプレイ２０１は、メッセージやオペレーションプロンプト、各種情報を表示するディスプレイである。
【００３５】
電源キー２０２は、画像処理装置１００の電源をＯＮ／ＯＦＦするためのキーである。
【００３６】
コピーモードキー２０３は、画像処理装置１００を、コピーができる状態にするためのキーである。コピーモードキー２０３を、押下することによって、画像処理装置１００をコピーモードにすることができる。
【００３７】
フィルムモードキー２０４は、画像処理装置１００を、フィルムから印刷できる状態にするためのキーである。フィルムモードキー２０４を、押下することによって、画像処理装置１００をフィルムモードにすることができる。
【００３８】
スキャンモードキー２０５は、画像処理装置１００をスキャンできる状態にするためのキーである。スキャンモードキー２０５を、押下することによって、画像処理装置１００をスキャンモードにすることができる。
【００３９】
フォトモードキー２０６は、画像処理装置１００を、デジタル写真のカードやカメラからの信号によって、ダイレクト印刷できる状態にするためのキーである。フォトモードキー２０６を押下することによって、画像処理装置１００をフォトモードにすることができる。
【００４０】
メニューキー２０７は、コピーやファックス、カードからのダイレクト印刷等を実行するときにおける設定値を設定する項目を表示するためのキーである。メニューキー２０７を押下することによって、実行用の設定項目をＬＣＤ２０１に表示することができ、プラスキー２１１やマイナスキー２１０等によって選択し、セットキー２１２でセットすることができる。
【００４１】
プリントシートキー２０８は、図３に示すユーザ記述用シートＳＨ１を印刷するためのキーである。
【００４２】
スキャンシートキー２０９は、シートＳＨ１を読み取るためのキーである。画像処理装置１００においては、プリントシートキー２０８によって印刷したシートに書かれている情報を、読取部１０７が、読み取り、ジョブを実行する。その際に、シートの読取を指示するキーである。
【００４３】
マイナスキー２１０、プラスキー２１１は、メニューやユーザ登録等、ユーザが複数の選択肢から選択を行う際に使用されるキーである。マイナス、プラスは、それぞれ逆順、正順である。セットキー２１２は、選択された項目に対して決定を行うキーである。スライドショーキー２１３は、表示を用いてメモリカードＭＣの画像を、操作表示部１０８に、順に表示する仕様である。
【００４４】
用紙設定キー２１４は、押すことによって、コピーやその他印刷の設定の用紙設定を行うキーである。フィーダセレクトキー２１５は、給紙部１１４の給紙部が、複数の給紙部位を持つ際に使用し、給紙部に切り換える際に使用するキーである。
【００４５】
ＳＴＯＰキー２１６は、ファクシミリ送受信、コピーやその他のオペレーション操作を停止させるキーである。モノクロスタートキー２１７は、白黒ファクシミリ送信、白黒コピー等を開始するキーである。カラースタートキー２１８は、カラーファクシミリ送信を開始するためのキーであり、カラー写真印刷等を開始するキーである。
【００４６】
図３は、実施例１において、ユーザが記入するユーザ記述用シートＳＨ１を示す図である。
【００４７】
図３（１）は、実施例１において使用するユーザ記述用シートＳＨ１を示す図であり、図３（２）は、実施例１における合成印刷例７１を示す図である。
【００４８】
ユーザ記述用シートＳＨ１は、サイズ指定領域３０と、参照画像領域４０と、記述領域５０と、バーコート６０とを有する。
【００４９】
ユーザ記述用シートＳＨ１は、画像処理装置１００の操作表示部１０８を使用して印刷するシートであり、ＵＳＢホスト制御部１１７に接続されているメモリカードＭＣに保存されている写真画像と、ユーザ記述用シートＳＨ１に記入されている内容とを合成処理する。
【００５０】
具体的には、まず、画像処理装置１００において、ユーザ記述用シートＳＨ１を印刷するための設定を、操作表示部１０８を介して実行し、この設定に基づいて記録部１１３が印刷する。印刷する場合、ユーザ記述用シートＳＨ１に、合成したい内容を記述する記述領域５０を印刷し、ユーザ記述用シートＳＨ１の記述領域５０を、読取部１０７が読み取り、参照画像４１に対応する写真画像ＰＩと合成し、この合成結果を、記録部１１３が印刷することによって、上記合成処理を実行する。
【００５１】
なお、実施例１では、ユーザ記述用シートＳＨ１を印刷する場合、プリントシートキー２０８を押す。また、図５において、ユーザ記述用シートＳＨ１の印刷の詳細を説明し、図６において、ユーザ記述用シートＳＨ１を読み取って合成する動作の詳細を説明する。
【００５２】
サイズ指定領域３０は、ユーザ記述用シートＳＨ１を使用して画像を合成し、この合成された画像を印刷する紙のサイズを指定する領域である。実施例１では、このサイズ指定を、マークシート形式とし、各サイズに対応しているマークが印刷されている。画像合成する場合、読取部１０７が、ユーザ記述用シートＳＨ１を読み込む際に、サイズ指定領域３０を読み込み、サイズ指定領域３０内で、マークされたサイズに応じて、合成画像の出力サイズを決定する。
【００５３】
参照画像領域４０は、写真画像ＰＩと同じ画像をサンプル的に印字する領域であり、ユーザ記述用シートＳＨ１による合成処理を行う際には、記述領域５０に記述されている画像を読み取った読取データと、参照画像領域４０に印字されている参照画像４１とに対応する写真画像を合成する。ただし、参照画像４１は、記述領域５０にユーザが記載する際に、合成する相手の画像であるが、実際に合成処理する場合には、ユーザ記述用シートＳＨ１から抽出するのではなく、デジタルカメラＤＣに格納されている写真画像のデータである。
【００５４】
記述領域５０は、参照画像領域４０に印刷されている参照画像４１に対応する写真画像ＰＩと合成する内容を記述する記述領域である。この記述領域５０に、書式して、合成処理を行うときに、読取部１０７がユーザ記述用シートＳＨ１を読み取ると、記述領域５０に書いてある内容を合成内容とする。実施例１では、合成する際に、下地の白は透過させ、ペン等でユーザが書いた手書き画像５２や、印刷された合成用印刷画像５１が、合成内容であると判断し、合成処理に使用することができる。記述領域５０と参照画像領域４０とは、互いに同じサイズであり、記述領域５０に記述する際に、実寸がわかる。
【００５５】
合成用印刷画像５１は、ユーザ記述用シートＳＨ１を印刷する際に、ユーザが選択したフォント／イラストの画像であり、このデータ自体は、ユーザ記述用シートＳＨ１を印刷する画像処理装置１００内に存在するが、ユーザ記述用シートＳＨ１を印刷するときに、記述領域５０の枠と合成用の印刷画像５１とを印刷し、しかも、図３に示すように、記述領域５０の枠の中に、合成用の印刷画像５１を印刷する。
【００５６】
なお、上記「フォント」は、文字の書体、スタイル、サイズ、色、文字飾りの少なくとも１つである。
【００５７】
手書き画像５２は、ユーザ記述用シートＳＨ１に、ユーザが実際に記述した内容の一例である。ユーザ記述用シートＳＨ１を印刷したときに、手書き画像５２は、まだ記述されていないが、ユーザ記述用シートＳＨ１が印刷された後に、記述領域５０内に、ユーザが書いた画像であり、その後に、参照画像４１に対応する写真画像と合成される。
【００５８】
ユーザ記述用シートＳＨ１を使用して合成処理する場合、記述領域５０に記述されている印刷画像５１と手書き画像５２とを、１つの画像として読み出し、この読み出した印刷画像５１と手書き画像５２とを、参照画像領域４０に印字されている参照画像４１に対応する写真画像ＰＩと合成する。
【００５９】
バーコード６０は、ユーザ記述用シートＳＨ１に記載されているバーコードであり、参照画像４１に対応する写真画像の情報（たとえば、写真画像のＩＤ）が埋め込まれている。このバーコード６０のデータを読み取り、解析することによって、参照画像４１に対応する写真画像を抜き出すことができる。
【００６０】
合成印刷例７１は、上記画像合成処理した後に、印刷した場合の例である。ユーザ記述用シートＳＨ１を用いて画像合成する場合、１つ目の合成対象画像と、２つ目の合成対象画像とを合成する。
【００６１】
上記「１つ目の合成対象画像」は、参照画像領域４０に印刷されている参照画像４１に対応する写真画像である。また、上記「２つ目の合成対象画像」は、記述領域５０に記述されている印刷画像５１と手書き画像５２とを、１つの画像として、一度に読み取り、この読み取った画像である。
【００６２】
そして、２つの合成対象画像を合成し、この合成された画像を印刷すると、合成印刷例７１になる。
【００６３】
実施例１では、１回のみ、合成処理を行えば、合成用印刷画像５１と、手書き画像５２と、参照画像４１に対応する写真画像ＰＩの３つの画像を合成することができる。
【００６４】
図４は、実施例１において、ユーザ記述用シートＳＨ１を印刷するために、写真画像ＰＩ、フォント／イラスト（合成用印刷画像５１）を選択する説明図である。
【００６５】
ユーザ記述用シートＳＨ１を印刷する場合、参照画像４１と、合成用印刷画像５１とを印刷する。このために、ユーザ記述用シートＳＨ１を印刷する前に、参照画像４１と、合成用印刷画像５１とを選択する。
【００６６】
図４（１）は、実施例１における写真画像選択画面８０を示す図である。
【００６７】
写真画像選択画面８０は、写真画像を選択するために、表示部２０１に表示される画面の一例である。表示部２０１には、合成に使用する候補である写真画像ＰＩが表示されている。操作表示部１０８に設けられているマイナス／プラスボタン２１０、２１１を操作することによって、複数の写真画像ＰＩの中から、所望の写真画像ＰＩを選択し、セットキー２１２を操作することによって、写真画像ＰＩを決定する。
【００６８】
図４（２）は、実施例１における印刷画像選択画面９０を示す図である。
【００６９】
印刷画像選択画面９０は、合成用印刷画像５１（フォント／イラストＦＩ）を選択するために、表示部２０１に表示されている画面の一例である。
【００７０】
フォント／イラストＦＩは、合成用印刷画像５１として、記述領域５０に印刷されるフォント／イラストの候補である。本表示において、操作表示部１０８に設けられているマイナス／プラスボタン２１０、２１１を操作することによって、複数のフォント／イラストＦＩの中から、所望のフォント／イラストＦＩを選択し、セットキー２１２を操作することによって、フォント／イラストＦＩを決定する。
【００７１】
図５は、実施例１において、ユーザ記述用シートＳＨ１を印刷する操作を示すフローチャートである。
【００７２】
実施例１では、操作表示部１０８の中にプリントシートキー２０８があり、プリントシートキー２０８を使用して、印刷操作を実行する。また、ＬＣＤ２０１は、写真画像ＰＩやフォント／イラストＦＩ等を表示する。
【００７３】
まず、Ｓ１では、ユーザ記述用シートＳＨ１を印刷することを選択する。実施例１では、図２に示す操作表示部１０８のプリントシートキー２０８を操作することによって、ユーザ記述用シートＳＨ１を印刷するモードを選択できる。
【００７４】
Ｓ２では、図４（１）に示すように、写真画像選択画面８０を表示する。すなわち、操作表示部１０８のＬＣＤ２０１に接続されているメモリカードＭＣに保存されている写真画像ＰＩを表示する。
【００７５】
次に、Ｓ３では、操作表示部１０８に設けられているマイナス・プラスキー２１０、２１１を、ユーザが操作することによって、写真画像ＰＩを選択することができ、ＳＥＴキー２１２を操作することによって、表示されている写真画像ＰＩがセットされる。一方、まだ写真画像が選択されていなければ、引き続きＳ２において、写真画像選択画面８０を表示する。
【００７６】
Ｓ４では、図４（２）に示すように、印刷画像選択画面９０を表示する。すなわち、フォント／イラストＦＩを表示する。
【００７７】
Ｓ５では、フォント／イラストＦＩが選択されたかどうかを確認する。フォント／イラストＦＩを選択する場合、Ｓ３と同様に、マイナス／プラスキー２１０、２１１およびセットキー２１２によって選択する。ここで、フォント／イラストＦＩが選択されれば、Ｓ６に進む。選択がされなければ、再びＳ４において、印刷画像選択画面９０を表示し、フォント／イラストＦＩを表示する。
【００７８】
Ｓ６では、ユーザ記述用シートＳＨ１を印刷する。この場合、Ｓ３で選択された写真画像ＰＩと、Ｓ５で選択されたフォント／イラストＦＩとに基づいて、画像処理装置１００のデータ蓄積部１１６のユーザ記述用データから、記録部１１３がユーザ記述用シートＳＨ１を印刷する。
【００７９】
図６は、実施例１において、ユーザ記述用シートＳＨ１を印刷処理する動作を示すフローチャートである。
【００８０】
まず、Ｓ１１では、Ｓ２で選択された画像を、ユーザ記述用シート用画像として準備する。実施例１では、ユーザが記述する場合の目安として選択した写真画像ＰＩを、ユーザ記述用シートＳＨ１内に印刷する。
【００８１】
Ｓ１２では、写真画像ＰＩとフォント／イラストＦＩとの合成が可能であるかどうかを確かめるために、メモリ容量を判断する。合成が可能なメモリ容量がなければ、Ｓ１３へ進み、合成が可能なメモリ容量があれば、Ｓ１６へ進む。合成のために必要なメモリ容量がない場合、記述領域５０にフォント／イラストＦＩを予め書き込むことによって、後に写真画像ＰＩと合成するときに、手書き画像５２とフォント／イラストＦＩとを１つの画像データとして扱うことができる。
【００８２】
つまり、上記実施例によれば、合成時に、２つのデータを展開するメモリを用意するだけで足りる。
【００８３】
Ｓ１３では、Ｓ４で選択されたフォント／イラストの画像を、ユーザ記述用シートＳＨ１に印刷するために、準備をする。
【００８４】
Ｓ１４では、実際に印刷するユーザ記述用シートＳＨ１のための画像に、Ｓ１１、Ｓ１３で用意した画像を対応させる。
【００８５】
Ｓ１５では、ユーザ記述用シートＳＨ１を印刷する。
【００８６】
Ｓ１６では、合成のためのメモリがあるので、実際に印刷する印刷用ユーザ記述用シートＳＨ１のための画像に、Ｓ１１で用意した画像を対応させる。
【００８７】
Ｓ１５では、ユーザ記述用シートＳＨ１を印刷する。この場合、ユーザ記述用シートＳＨ１のバーコード６０に、合成対象である写真画像の情報を埋め込むが、Ｓ４でフォント／イラストが選択されていれば、どれが選択されたかを示す情報を埋め込む。
【００８８】
上記のようにすることによって、ユーザ記述用シートＳＨ１を印刷する際に、図５で説明したユーザ記述用シートＳＨ１の印刷前に選択した写真画像と印刷画像（フォント／イラストデータの画像）とを、ユーザ記述用シートＳＨ１に印刷することができる。
【００８９】
実施例１では、手書き画像５２と、ユーザが選択した写真画像ＰＩと、合成用印刷画像５１とを、ユーザ記述用シートＳＨ１内に印刷している。
【００９０】
図７は、実施例１において、印刷したユーザ記述用シートＳＨ１を読み込み、合成処理する動作を示すフローチャートである。
【００９１】
つまり、図７に示す動作は、印刷されたユーザ記述用シートＳＨ１を、読取部１０７が読み取り、この読み取った画像と、参照画像４１に対応する写真画像ＰＩとを合成する処理である。
【００９２】
この処理は、ユーザ記述用シートＳＨ１を印刷した後に、図５のＳ３で選択した写真画像と、ユーザが合成することを望む内容（記述領域５０に記述した画像）とを実際に合成する処理である。
【００９３】
まず、Ｓ２１では、操作表示部１０８に表示されている「ユーザ記述用シートの読取＆写真印刷のモード」を選択する。実施例１では、スキャンシートキー２０９を押下することによって、「ユーザ記述用シートの読取＆写真印刷のモード」を選択する。
【００９４】
Ｓ２２では、操作表示部１０８の表示部（ＬＣＤ）２０１に、ユーザ記述用シートＳＨ１を読取部１０７の原稿台に置くように、表示する。
【００９５】
Ｓ２３では、原稿台にユーザ記述用シートＳＨ１が置かれていることを確認し、この確認は、画像処理装置１００としての確認でもよく、ユーザへの促しでもよい。原稿台にユーザ記述用シートＳＨ１が置かれていれば、Ｓ２４に進み、確認できなければ、Ｓ２２でユーザ記述用シートＳＨ１を置くように、再び表示する。
【００９６】
Ｓ２５では、読取部１０７の原稿台に置かれているユーザ記述用シートＳＨ１を読み取る。この読み取ったデータを、画像メモリ１０４に保存するとともに、この読み取ったデータを解析する。この解析によって、合成用印刷画像５１等の情報を、ユーザ記述用シートＳＨ１から入手する。この詳細内容を、図８において説明する。
【００９７】
Ｓ２６では、Ｓ３で選択した写真画像ＰＩと、Ｓ２５で読取、解析した合成用印刷画像５１、手書き画像５２とを合成し、印刷する。
【００９８】
図８は、実施例１において、ユーザ記述用シートＳＨ１を解析する動作を示すフローチャートである。
【００９９】
まず、Ｓ３１では、ユーザ記述用シートＳＨ１のバーコード６０の情報を読み取る。
【０１００】
Ｓ３２では、読み取ったバーコード６０の情報から画像情報を取得する。選択した写真画像の情報を、Ｓ３でバーコード６０に入れ込んである。つまり、どの写真画像が合成する対象であるかを、ユーザ記述用シートＳＨ１に入れ込まれているので、ユーザ記述用シートＳＨ１を読み込むだけで、写真画像を再度選択する手間を省くことができる。
【０１０１】
また、図６のＳ１２で合成に必要なメモリがあると判断された場合、必要なフォント／イラストの画像をユーザ記述用シートＳＨ１に印刷する処理を実行しない。
【０１０２】
Ｓ４で選択されたフォント／イラストＦＩがユーザ記述用シートＳＨ１の記述領域５０に印刷されていなければ、合成する対象であるフォント／イラストＦＩが何であるかを示す情報がバーコード６０に盛り込まれているので、Ｓ３２でその情報も抽出する。
【０１０３】
Ｓ３３では、ユーザ記述用シートＳＨ１内の記述領域５０の位置を検知する。
【０１０４】
Ｓ３４では、記述領域５０に印刷されている合成用印刷画像５１や、ユーザが記述した内容（手書き画像）を読み取り、解析したデータを抽出する。この抽出の際に、記述領域５０の上部に位置するサイズ指定領域３０の中で、どこが塗られているかをも抽出する。
【０１０５】
この抽出によって、印刷データと記述されたデータとを、１つの読み取った合成用画像として扱う。また、印刷用サイズの情報もＳ３４で抽出し、ユーザ記述用シートＳＨ１の記述領域５０に印刷した合成用印刷画像５１のデータと、ユーザが記述した手書き画像５２のデータとを、あたかも１つのデータとして扱うことができるので、擬似的に合成処理したことになる。
【０１０６】
実施例１によれば、ユーザ記述用シートＳＨ１を印刷する際に、合成することを望む写真画像ＰＩに対応する参照画像４１を、ユーザ記述用シートＳＨ１上に予め印刷し、ユーザ記述用シートＳＨ１を読み取る際に、ユーザが手で書いた手書き画像５２と、合成用印刷画像５１とを、同じ合成データとして読み取り、判別し、写真画像ＰＩと合成するので、合成を行う際に合成したい合成用印刷画像５１とユーザが手で書いた手書き画像とを、１つの画像として処理し、したがって、合成用印刷画像５１と手書き画像５２との合成処理を削除することができる。
【実施例２】
【０１０７】
本発明の実施例２は、実施例１において、ユーザ記述用シートＳＨ１に、目安となる参照画像４１を印刷しない実施例である。
【０１０８】
図９は、実施例２であるユーザ記述用シートＳＨ２を示す図である。
【０１０９】
図２に示す操作表示部１０８、図４に示す写真画像選択画面、合成用印刷画像選択画面は、実施例２においても、同じである。
【０１１０】
ユーザ記述用シートＳＨ２は、サイズ指定領域３０と、記述領域５０と、バーコート６０とを有する。
【０１１１】
実施例２において、ユーザ記述用シートＳＨ２に、実施例１において印刷する参照画像４１を印刷しないので、ユーザ記述用シートＳＨ２を印刷する場合におけるインク消費量を削減することができる。
【０１１２】
ユーザ記述用シートＳＨ２は、目安印刷としての参照画像を印刷しないユーザ記述用シートであり、画像処理装置１００の操作表示部１０８が印刷するシートである。
【０１１３】
画像処理装置１００でユーザ記述用シートＳＨ２を印刷するための設定を、操作表示部１０８において行い、ユーザ記述用シートＳＨ２を記録部１１３が印刷する。印刷されたユーザ記述用シートＳＨ２に、合成したい手書き画像を記述する記述領域５０があり、ユーザ記述用シートＳＨ２の記述領域５０を読取部１０７が読み取り、参照画像４１に対応する写真画像ＰＩと合成し、この合成結果を、記録部１１３が印刷することによって、合成の処理が行われる。
【０１１４】
なお、実施例２では、ユーザ記述用シートＳＨ２の印刷方法として、プリントシートキー２０８を使用して印刷する。また、ユーザ記述用シートＳＨ２の印刷の詳細について、図５に示してあり、ユーザ記述用シートＳＨ２を読み取って合成する動作の詳細について、図６に示してある。
【０１１５】
サイズ指定領域３０は、合成した画像を印刷する用紙のサイズを指定する領域である。
【０１１６】
実施例２では、サイズ指定領域３０を、マークシート形式とし、サイズに対応するマークを用意している。合成を行うために、読取部１０７がユーザ記述用シートＳＨ２を読み込んだ際に、サイズ指定領域３０を読み込み、マークされたサイズにしたがって合成画像の出力サイズを決定する。
【０１１７】
記述領域５０は、合成される内容を記述するための領域である。この記述領域５０に、書式して、合成処理を行う時に読取部１０７によってユーザ記述用シートＳＨ２を読み取った場合には記述領域５０に書いてある内容を合成内容とする。実施例２において、合成する際に、下地の白は透過させ、ペン等でユーザが書いた手書き画像５２や、合成用印刷画像５１が、合成対象であると判断し、合成処理する。
【０１１８】
合成用印刷画像５１は、ユーザ記述用シートＳＨ２を印刷する際に、ユーザが選択したフォント／イラストＦＩが印刷されたものである。データ自体は、ユーザ記述用シートＳＨ２を印刷する画像処理装置１００内に存在するが、ユーザ記述用シートＳＨ２の記述領域５０に、ユーザ記述用シートＳＨ２を印刷するときに、印刷する。
【０１１９】
手書き画像５２は、ユーザが実際にユーザ記述用シートＳＨ２に記述した内容の一例である。ユーザ記述用シートＳＨ２を印刷するときは、手書き画像５２がまだ記述されていない。
【０１２０】
ユーザ記述用シートＳＨ２を使用して合成処理する場合、記述領域５０を読み取り、合成する内容として合成用印刷画像５１と手書き画像５２とを１つの読み取り対象として読み出す。
【０１２１】
バーコード６０には、合成する対象として選択されている写真画像ＰＩと合成用印刷画像５１との情報を埋め込んである。このデータを読み取り、解析することによって、画像情報を抜き出す。
【０１２２】
実施例２において、合成処理する回数は、１回であるが、この１回の合成処理によって、合成用印刷画像５１と手書き画像５２と、写真画像ＰＩとの３つの対象を合成する。
【０１２３】
次に、ユーザ記述用シートＳＨ２を印刷する動作について説明する。
【０１２４】
図１０は、実施例２において、ユーザ記述用シートＳＨ２を印刷する動作を示すフローチャートである。
【０１２５】
まず、Ｓ４１では、Ｓ４で選択されたフォント／イラストＦＩを、合成用印刷画像５１として、ユーザ記述用シートＳＨ２に印刷するために準備する。
【０１２６】
Ｓ４２では、実際に印刷を行う印刷用ユーザ記述用シートＳＨ２の画像に、Ｓ４１で用意したフォント／イラストＦＩを、合成用印刷画像５１に対応させる。
【０１２７】
Ｓ４３では、ユーザ記述用シートＳＨ２を印刷する。
【０１２８】
上記のようにすることによって、ユーザ記述用シートＳＨ２に、合成用印刷画像５１を印刷し、この印刷後に、ユーザ記述用シートＳＨ２に手書き画像５２をユーザが手書きしし、画像５１、５２が合体される（１つの領域に記述される）が、手書き画像５２と合成用印刷画像５１とを画像合成するのではない。
【０１２９】
ユーザ記述用シートＳＨ２を読み取る際に、印刷した合成用印刷画像５１とユーザが手で書いた手書き画像５２とを、読み取り、この読み取った画像を１つの合成対象とし、写真画像ＰＩと合成する。
【０１３０】
実施例２によれば、合成用印刷画像５１と手書き画像５２とを合成処理せずに合成対象の１つとするので、合成用印刷画像５１と手書き画像５２とを合成しこの合成結果に写真画像ＰＩを合成する場合と比較すると、合成処理の回数を減らすことができる。
【実施例３】
【０１３１】
本発明の実施例３は、ユーザ記述用シートＳＨ１において、参照画像４１にも、フォント／イラスト画像ＣＩを印刷する実施例である。
【０１３２】
図２に示す操作表示部１０８、図４に示す写真画像選択画面、合成用印刷画像選択画面は、実施例３においても、同じである。
【０１３３】
図１１は、実施例３において、参照画像４１に、フォント／イラストＦＩに対応する合成用印刷画像５１が印刷されているユーザ記述用シートＳＨ３示す図である。
【０１３４】
実施例３では、ユーザ記述用シートＳＨ３を使用して、ＵＳＢホスト制御部１１７に接続されているメモリカードＭＣに保存されている写真画像と、ユーザ記述用シートＳＨ３に記述されている内容とを合成処理することができる。
【０１３５】
まず、ユーザ記述用シートＳＨ３を印刷するための設定を、操作表示部１０８において行い、記録部１１３がユーザ記述用シートＳＨ３を印刷する。印刷されたユーザ記述用シートＳＨ３に、合成したい内容を記述する記述領域５０が設けられ、記述領域５０を、読取部１０７が読み取り、参照画像４１に対応する写真画像ＰＩと合成し、この合成結果を記録部１１３が印刷することによって、図１１（２）に示す合成印刷例７３が印刷される。
【０１３６】
実施例３では、ユーザ記述用シートＳＨ３の印刷方法としてプリントシートキー２０８を使用して印刷することができる。
【０１３７】
ユーザ記述用シートＳＨ３の印刷の詳細動作は、図５に示すフローチャートの動作と同様であり、ユーザ記述用シートＳＨ３を読み取って合成する動作は、図６に示すフローチャートの動作と同様である。
【０１３８】
サイズ指定領域３０は、合成した画像を印刷するサイズを指定する領域であり、マークシート形式とし、サイズに対応したマークが用意されている。合成を行うために、読取部１０７がユーザ記述用シートＳＨ３を読み込んだ際に、サイズ指定領域３０を読み込み、マークされたサイズに応じて、合成画像の出力サイズを決定する。
【０１３９】
記述領域５０は、合成対象である内容（合成用印刷画像５１、手書き画像５２）を記述する領域であり、ここに書式し、合成処理を行うときに、読取部１０７がユーザ記述用シートＳＨ３を読み取った場合、記述領域５０に書いてある内容を合成内容とする。
【０１４０】
なお、合成する際に下地の白は透過させ、ペン等でユーザが書いた手書き画像５２や、合成用印刷画像５１を合成内容として判断し、合成処理に使用することができる。
【０１４１】
参照画像４１は、写真画像ＰＩに対応する画像である。ユーザ記述用シートＳＨ３を印刷する場合、記述領域５０に印刷される合成用印刷画像５１と、参照画像領域４０に印字される参照画像４１に対応する写真画像ＰＩとを合成する。参照画像４１は、記述領域５０にユーザが手書き画像５２を手書きする際に、どの写真画像ＰＩと合成するのかを示すサンプルであり、実際の合成処理では、ユーザ記述用シートＳＨ３から写真画像ＰＩのデータを抽出するのではなく、バーコード６０から写真画像ＰＩを抽出する。記述領域５０と参照画像領域４０とは同じサイズであり、記述領域５０に記述する際に実寸がわかる。
【０１４２】
フォント／イラストＦＩに対応する合成用印刷画像５１は、ユーザ記述用シートＳＨ３を印刷する際に、ユーザが選択したフォント／イラストＦＩである。フォント／イラストＦＩのデータ自体は、ユーザ記述用シートＳＨ３を印刷する画像処理装置１００内に存在しているが、ユーザ記述用シートＳＨ３を印刷するときに、合成用印刷画像５１を記述領域５０に印刷する。
【０１４３】
手書き画像５２は、ユーザ記述用シートＳＨ３にユーザが実際に記述した内容の一例である。ユーザ記述用シートＳＨ３を印刷するときには、手書き画像５２はまだ記述されてはいない。
【０１４４】
ユーザ記述用シートＳＨ３を使用して合成処理する際には、記述領域５０を読み取り、合成する内容として合成用印刷画像５１と手書き画像５２とを１つの合成対象として読み出す。そして、参照画像領域４０に印字されている参照画像４１に対応する写真画像ＰＩと合成する。
【０１４５】
バーコード６０は、ユーザ記述用シートＳＨ３の中に情報を埋め込んであるコードである。実施例３では、合成する対象として選択された写真画像ＰＩの情報を埋め込んである。このデータを読み取って解析することによって、画像情報を抜き出すことができる。
【０１４６】
フォント／イラストＦＩを、写真画像ＰＩと合成し、合成用印刷画像５１と参照画像４１とが印刷される。ここで、参照画像領域４０に、参照画像４１と合成用印刷画像５１とが印刷されているので、記述領域５０に手書き画像５２を手書きする場合、合成用印刷画像５１が参照画像４１とが合成された後の状態を、ユーザが予め、知ることができる。
【０１４７】
合成印刷例７３は、上記合成処理を行い、印刷を行った場合の一例である。ユーザ記述用シートＳＨ３を用いて合成した場合、記述領域５０に記述されている手書き画像５２と合成用印刷画像５１とを合成する対象の１つにし、また、参照画像領域４０に印刷されている画像の元データとの合成処理を行い、図１１（２）に示すように、参照画像領域４０に示すように合成印刷例７３を印字することができる。
【０１４８】
次に、実施例３において、ユーザ記述用シートＳＨ３を印刷処理する動作について説明する。
【０１４９】
図１２は、実施例３において、ユーザ記述用シートＳＨ３を印刷処理する動作を示すフローチャートである。
【０１５０】
まず、Ｓ５１では、Ｓ２で選択された写真画像ＰＩを、ユーザ記述用シートＳＨ３用の参照画像４１として準備する。実施例３では、ユーザが選択した写真画像ＰＩに対応する参照画像４１を、ユーザ記述用シートＳＨ３内に印刷する。
【０１５１】
Ｓ５２では、Ｓ４において選択されたフォント／イラストＦＩを、ユーザ記述用シートＳＨ３の合成用印刷画像５１として準備をする。
【０１５２】
Ｓ５３では、Ｓ５１で用意した写真画像ＰＩに、Ｓ５２で用意したフォント／イラストＦＩを合成する。この合成した画像（参照画像４１、合成用印刷画像５１）をユーザ記述用シートＳＨ３の目安として使用する。
【０１５３】
Ｓ５４では、実際に印刷する印刷用ユーザ記述用シートＳＨ３に、Ｓ５３で用意した画像を対応させる。
【０１５４】
Ｓ５５で、ユーザ記述用シートＳＨ３を印刷する。
【０１５５】
このようにすることによって、ユーザ記述用シートＳＨ３を印刷する際に、図５で説明したようなユーザ記述用シートＳＨ３を印刷する前に選択した写真画像ＰＩに対応する参照画像４１と、フォント／イラストＦＩに対応する合成用印刷画像５１とを、ユーザ記述用シートＳＨ３内に印刷することができる。
【０１５６】
上記実施例では、合成のためにユーザの手書き情報を入力するためのユーザ記述用シートＳＨ３を印刷する際に、合成したい画像を予めユーザ記述用シートＳＨ３に印刷し、ユーザ記述用シートＳＨ３を読み取る際に、ユーザが手で書いた手書き画像５２と、合成用印刷画像５１とを、１つの合成対象として読み取り、この読み取った画像と、写真画像ＰＩと合成する。したがって、上記実施例によれば、画像合成に際して、合成用印刷画像５１と手書き画像５２とを合成する処理を必要とせず、よって、合成処理を減らすことができる。
【０１５７】
また、実施例１、２、３の違いは、ユーザ記述用シートの参照画像領域４０にフォント／イラストＦＩを目安として、ユーザが印刷するか否かである。しかし、上記目安を印刷するか否かに関わらず、上記各実施例は有効である。
【０１５８】
上記実施例をプログラムの発明として把握することができる。つまり、上記実施例は、写真画像保存手段に保存されている複数の写真画像の中から、所望の写真画像を選択する写真画像選択手順と、複数のフォント／イラストの中から、所望のフォント／イラストを選択するフォント／イラスト選択手順と、上記選択された写真画像に対応する参照画像を参照画像領域に印刷し、また、上記選択されたフォント／イラストに対応する合成用印刷画像を記述領域に印刷し、上記参照画像領域と上記記述領域とを並べて印刷することによって、ユーザ記述用シートを作成するユーザ記述用シート作成手順とを画像処理装置に実行させるプログラムの例である。
【０１５９】
また、上記実施例は、写真画像保存手段に保存されている複数の写真画像の中から、所望の写真画像を選択する写真画像選択手順と、複数のフォント／イラストの中から、所望のフォント／イラストを選択するフォント／イラスト選択手順と、上記選択されたフォント／イラストに対応する合成用印刷画像を記述領域に印刷することによって、ユーザ記述用シートを作成するユーザ記述用シート作成手順と、上記記述領域に記入されている手書き画像と上記合成用印刷画像とを読み取る読取手順と、上記読取手順で読み取った合成用印刷画像と上記手書き画像と、上記参照画像に対応する写真画像とを合成する合成手順とを画像処理装置に実行させるプログラムの例である。
【図面の簡単な説明】
【０１６０】
【図１】本発明の実施例１である画像処理装置１００の概略構成を示すブロック図である。
【図２】画像処理装置１００における操作表示部１０８の具体例を示すブロック図である。
【図３】実施例１において、ユーザが記入するユーザ記述用シートＳＨ１を示す図である。
【図４】実施例１において、ユーザ記述用シートＳＨ１を印刷するために、写真画像ＰＩ、フォント／イラスト（合成用印刷画像５１）を選択する説明図である。
【図５】実施例１において、ユーザ記述用シートＳＨ１を印刷する操作を示すフローチャートである。
【図６】実施例１において、ユーザ記述用シートＳＨ１を印刷処理する動作を示すフローチャートである。
【図７】実施例１において、印刷したユーザ記述用シートＳＨ１を読み込み、合成処理する動作を示すフローチャートである。
【図８】実施例１において、ユーザ記述用シートＳＨ１を解析する動作を示すフローチャートである。
【図９】実施例２であるユーザ記述用シートＳＨ２を示す図である。
【図１０】実施例２において、ユーザ記述用シートＳＨ２を印刷する動作を示すフローチャートである。
【図１１】実施例３において、参照画像４１に、フォント／イラストＦＩに対応する合成用印刷画像５１が印刷されているユーザ記述用シートＳＨ３示す図である。
【図１２】実施例３において、ユーザ記述用シートＳＨ３を印刷処理する動作を示すフローチャートである。
【符号の説明】
【０１６１】
１００…画像処理装置、
１０７…読取部、
１０８…操作表示部、
１１２…記録制御部、
１１３…記録部、
ＳＨ１、ＳＨ２、ＳＨ３…ユーザ記述用シート、
３０…サイズ指定領域、
４０…参照画像領域、
４１…参照画像、
５０…記述領域、
５１…合成用印刷画像、
５２…手書き画像、
６０…バーコード、
７１、７２、７３…合成印刷例。
【図１】
0004683628.tif 000002
【図２】
0004683628.tif 000003
【図３】
0004683628.tif 000004
【図４】
0004683628.tif 000005
【図５】
0004683628.tif 000006
【図６】
0004683628.tif 000007
【図７】
0004683628.tif 000008
【図８】
0004683628.tif 000009
【図９】
0004683628.tif 000010
【図１０】
0004683628.tif 000011
【図１１】
0004683628.tif 000012
【図１２】
0004683628.tif 000013